(57)【要約】      （修正有）【課題】仏具の一つである鈴具を叩打具で叩打した際、ゴルフボールがカップインした時の音に近似する音を発するように構成した鈴具を提供する。【解決手段】金属製の鈴具本体１０と、これを載置する鈴座１１と、ゴルフボール１２とからなる。鈴具本体１０は、半円筒状部１ａ及び直線板部１ｂ、１ｂからなる外側支持壁部１と、その内側下部の音響板部２とで構成する。音響板部２は、半円形の部位及び方形の部位からなる舌片形状の上板部と、これと同一舌片形状の下板部２ｃと、上板部の外端部及びその下方の下板部２ｃの外端部を結合する直立板部２ｂとで構成する。更に下板部２ｃの外端部を除く外周を外側支持壁部１の内周に固定し、直立板部２ｂの両側部の上下端部のみを外側支持壁部１に固定し、かつ上板部の外周のうち、直立板部２ｂと結合した外端部を除く部位の二カ所を外側支持壁部１の内周に点溶接したものである。【選択図】図１
0003188481.tif 000002
【実用新案登録請求の範囲】
【請求項１】
鈴具本体と、これを載置する鈴座と、前記鈴具本体を打ち鳴らすための叩打具であるゴルフボールとからなる鈴具であって、
前記鈴具本体は、平面視で半円筒状部及び該半円筒状部の両端から延びる平行な二つの直線板部からなる金属製の外側支持壁部と、前記外側支持壁部の内側下部に固設する金属製の音響板部とで構成し、
前記音響板部は、平面視で、前記外側支持壁部の半円筒状部の内周形状に対応する半円形の部位及び該外側支持壁部の両直線板部間の内側形状に対応する方形の部位からなる舌片形状の上板部と、前記上板部と平面視で同一舌片形状の下板部と、前記上板部の外端部及びこれと一定の間隔をあけて下方に配した前記下板部の外端部を結合する直立板部とで構成し、
更に前記下板部の外周のうち、外端部を除く外周を前記外側支持壁部の内周の対応する部位に固定し、前記直立板部の両側部のうち、その上下端部のみを前記外側支持壁部の対応する部位に固定し、かつ前記上板部の外周のうち、前記直立板部と結合した外端部を除く部位の複数箇所を前記外側支持壁部の内周の対応する部位に点結合固定したものである鈴具。
【請求項２】
前記上板部の外周の、前記外側支持壁部の内周と点結合固定する複数箇所として、該上板部の半円形の部位又は該外側支持壁部の半円筒状部のいずれかの一端部から周方向６０度の部位と１２０度の部位を採用した請求項１の鈴具。
【考案の詳細な説明】
【技術分野】
【０００１】
本考案は、仏具の一つである鈴具に関し、特に叩打具により叩打した場合にゴルフボールがカップインした場合に発する音に近似する音を発するように構成し、ゴルフに深い趣味を有する人又は家族が使用するのに適する鈴具に関する。
【背景技術】
【０００２】
従来から一般に使用されている鈴具は、通常、椀形状に成形された金属製の鈴具本体と、これを叩くための鈴棒と呼ばれる叩打具とからなる。鈴具本体は、通常、座布団状の鈴座上に開口部を上にして配置され、礼拝時に、前記鈴棒で打ち鳴らされる態様で使用される。これによって比較的長く続く澄んだ高い音が発せられるのが普通である。特別な趣味によってそれに相応する音色の音を発するというようなものではない。
【０００３】
特許文献１は、リン具に関し、これは、椀形状に成形されたリン本体が叩打部材により打ち鳴らされるリン具において、前記リン本体を支持するための支柱と、該支柱が直立するように取り付けられる台座と、前記リン本体の椀内底部に一端側が固定されたコイル状バネと、を備え、前記リン本体は、その椀開口部を下向きにし、かつ前記コイル状バネに前記支柱を下方から嵌合させることにより、前記台座上に揺動可能に支持されるようにしたものである。
【０００４】
従ってこの特許文献１のリン具によれば、リン本体の振動が抑制されてしまう固定部を必要としないため、リン本体の打ち鳴らしの際には、その残響が長く良好に持続できるものとなり、かつリン本体の外力作用による揺らぎが、その様子と音色に面白味及び趣を感じさせる利点があるとされ、これは確かであると思われる。しかしその発する音から特定のスポーツを感じさせるような趣味感を有するものではない。
【０００５】
特許文献２は、鈴体を叩打棒で叩打することにより発音させる宗教用打楽器の鈴具であって、椀形状に形成された一対の鈴体と、これらの鈴体を取り付ける支柱とからなり、該一対の鈴体は同一径又は異なる径で、相互の開口部を対向状態で又はいずれも上向きで前記支柱にその長さ方向に沿って種々の間隔で縦列状態に取り付けてなる鈴具である。
【０００６】
従ってこの特許文献２の鈴具によれば、鈴体の支柱への取り付け態様により、一方の鈴体を叩打すると、他方の鈴体が固有振動の振動を開始したり、唸り音が生じたりし、様々な態様の音を生じさせることができる。しかしその発する音は特定のスポーツを感じさせるような趣味感を有するものではない。
【先行技術文献】
【特許文献】
【０００７】
【特許文献１】実用新案登録第３１１０７３９号公報
【特許文献２】特開２００３−３１９８６９号公報
【考案の概要】
【考案が解決しようとする課題】
【０００８】
本考案は、仏具の一つである鈴具について、特に叩打具により叩打した場合にゴルフボールがカップインした場合に発する音に近似する音を発するように構成し、ゴルフに深い趣味を有する人又は家族が使用するのに適する鈴具を提供することを解決の課題とする。
【課題を解決するための手段】
【０００９】
本考案の１は、鈴具本体と、これを載置する鈴座と、前記鈴具本体を打ち鳴らすための叩打具であるゴルフボールとからなる鈴具であって、
前記鈴具本体は、平面視で半円筒状部及び該半円筒状部の両端から延びる平行な二つの直線板部からなる金属製の外側支持壁部と、前記外側支持壁部の内側下部に固設する金属製の音響板部とで構成し、
前記音響板部は、平面視で、前記外側支持壁部の半円筒状部の内周形状に対応する半円形の部位及び該外側支持壁部の両直線板部間の内側形状に対応する方形の部位からなる舌片形状の上板部と、前記上板部と平面視で同一舌片形状の下板部と、前記上板部の外端部及びこれと一定の間隔をあけて下方に配した前記下板部の外端部を結合する直立板部とで構成し、
更に前記下板部の外周のうち、外端部を除く外周を前記外側支持壁部の内周の対応する部位に固定し、前記直立板部の両側部のうち、その上下端部のみを前記外側支持壁部の対応する部位に固定し、かつ前記上板部の外周のうち、前記直立板部と結合した外端部を除く部位の複数箇所を前記外側支持壁部の内周の対応する部位に点結合固定したものである鈴具である。
【００１０】
本考案の２は、本考案の１の鈴具において、
前記上板部の外周の、前記外側支持壁部の内周と点結合固定する複数箇所として、該上板部の半円形の部位又は該外側支持壁部の半円筒状部のいずれかの一端部から周方向６０度の部位と１２０度の部位を採用したものである。
【考案の効果】
【００１１】
本考案の１の鈴具によれば、一般の鈴具と同様に、鈴座に鈴具本体を載置した状態で仏壇の前等の所定の位置に配置して使用することができる。叩打具であるゴルフボールを鈴具本体の音響板部の上に落とすことにより、これを打ち鳴らすことができ、これによってゴルフ場のグリーンでホールインした場合に近似する落下音を響かせることになる。特に故人及びその家族がゴルフ競技に深い関心を抱いている場合に最適である。
【００１２】
本考案の１の鈴具における鈴具本体は、前記のように、金属製の外側支持壁部とその内側下部に固定される金属製の音響板部とで構成したものであり、この鈴具で音を打ち鳴らす場合は、ボールを、前記のように、鈴具本体の音響板部上に落下させる。
【００１３】
該音響板部は、上板部と直立板部と下板部とで縦断面コ字形になるように構成した金属製の部材であり、該下板部は、その外周の外端を除く部位が前記外側支持壁部の内周に固定されており、該直立板部は両側上下端が該外側支持壁部の対応する部位に固定されている。また該上板部は、その外周のうち、外端を除く部位の複数箇所のみが該外側支持壁部の対応する部位に点結合固定されている。
【００１４】
そのため、前記のように、ゴルフボールを該音響板部の上板部上に落とすと、該上板部は、その外端を除く部位の複数箇所が該外側支持壁部の対応する部位に点結合固定しているだけなので、前記ゴルフボールの落下により、比較的良好に振動することが可能になる。該上板部、該直立板部、該下板部及び該外側支持壁部で囲まれた空間が共鳴器として作用し、その振動による音響を増幅することになる。こうしてこの鈴具によれば、ゴルフ場のグリーンでホールインした場合に近似する落下音を大きく響かせることになる。前記上板部の外端を除く部位の複数箇所を該外側支持壁部の対応する部位に点結合固定することが、以上のようなゴルフ場のグリーンでホールインした場合の落下音に近似する音色を発するための条件であることは実験的に確認した。
【００１５】
本考案の２の鈴具によれば、前記音響板部の上板部上にボールを落下させると、前記上板部の外周の外端を除く部位の前記外側支持壁部との結合箇所が、前記した二カ所であるため、その音色がよりゴルフ場のグリーンでホールインした場合のそれと近似するものとなる。これも実験的に確認した。
【図面の簡単な説明】
【００１６】
【図１】実施例の鈴具の全体を示す正面図。
【図２】実施例の鈴具の、叩き打ち具であるゴルフボールを省略した平面図。
【図３】実施例の鈴具で、叩打具であるゴルフボールを用いて音を発する状態を示した正面図。
【図４】実施例の鈴具で、叩打具であるゴルフボールを用いて音を発する状態を示した平面図。
【図５】実施例の鈴具本体の平面図。
【図６】実施例の鈴具本体の正面図。
【図７】実施例の鈴具本体の底面図。
【図８】図５のＡ−Ａ線断面図。
【図９】鈴座の平面図。
【図１０】鈴座の正面図。
【図１１】(a)はゴルフボールを支持棒で支持した態様の叩打具の平面図、(b)は正面図。
【考案を実施するための形態】
【００１７】
考案を実施するための形態を実施例に基づき図面を参照しながら詳細に説明する。
この実施例の鈴具は、図１〜図４に示すように、基本的に、金属（ＳＰＣＣ）製の外側支持壁部１と、その内側下部に固定する縦断面コ字形の金属（ＳＰＣＣ）製の音響板部２とで構成した鈴具本体１０と、これを載置する鈴座１１と、叩打具であるゴルフボール１２とで構成したものである。
【００１８】
まず前記鈴具本体１０からその詳細を説明する。
その構成要素である前記外側支持壁部１は、特に図５〜図８に示すように、内径が１０８ｍｍの半円筒状部１ａ及び該半円筒状部１ａの両端から延びる平行な二つの直線板部１ｂ、１ｂからなる部材である。高さは、この実施例では、７５ｍｍとした。いずれもこの寸法に限定されるわけではない。好ましい寸法例である。
【００１９】
前記鈴具本体１０の構成要素である前記音響板部２は、図８に示すように、断面コ字形の部材であり、上板部２ａと、これを外端（前端）で直角に折り曲げて垂下させた直立板部２ｂと、該直立板部２ｂの下端に該上板部２ａと平行な状態に結合した下板部２ｃとで構成したものである。該直立板部２ｂの下端と該下板部２ｃの外端（前端）との結合は溶接によって行った。ｗ１はその溶接部位を示す。
【００２０】
前記音響板部２の上板部２ａ及び下板部２ｃは、図５及び図７に示すように、後部（内端側）が半円形状で前部（外端側）が方形であり、全体として舌片状をなす板状部材となっている。該上板部２ａ及び該下板部２ｃの後部の半円形状の部位の外径は、前記外側支持壁部材１の後部である半円筒状部１ａの内径に対応し、これを僅かに下回る寸法に構成してある。該上板部２ａ及び該下板部２ｃの前部の方形の部位の幅寸法及び奥行き寸法は、いずれも、前記外側支持壁部材１の前部である二つの直線板部１ｂ、１ｂ間の内幅寸法及び奥行き寸法を僅かに下回る寸法としたものである。
【００２１】
前記音響板部２の直立板部２ｂの高さ寸法は、この実施例では、３７ｍｍに構成した。勿論、この寸法に限定されるわけではない。好ましい寸法例である。また該直立板部２ｂは、図５〜図８に示すように、その両側上下端部のみを溶接により前記外側支持壁部１の内側の対応する部位に固定したものである。ｗ２、ｗ２、ｗ３、ｗ３はそれらの溶接部位を示す。
【００２２】
前記音響板部２の下板部２ｃの外周は、図７に示すように、前端部を除いて前記外側支持壁部１の内周に溶接によって固定する。ｗ４はその溶接部位を示す。この溶接部位ｗ４の左右両端は、前記直立板部２ｂの両側下端部の前記外側支持壁部１の内周との溶接部位ｗ３、ｗ３と重なり合って共通状態になっている。なお、この実施例では、下板部２ｃは、該外側支持壁部１の下端から約５ｍｍ上方の位置に配設してあり、以上のように、その位置に溶接によって固定してある。
【００２３】
前記音響板部２の上板部２ａは、図５及び図６に示すように、その後部の半円形状の部位のいずれか一方の端部から６０度及び１２０度の部位の二箇所を前記外側支持壁部１の内周の対応する部位に点溶接により固定したものである。ｗ５、ｗ５は、それらの溶接部位を示す。前記のように、前記直立板部２ｂの両側上端が該外側支持壁部１の内周の対応する部位に点溶接してあり、その溶接部位ｗ２、ｗ２は、上板部２ａの前部（外端）の方形の部位の前部両端と見なすこともでき、そう考えると、該上板部２ａは、前部両端の溶接部位ｗ２、ｗ２と、後部の前記溶接部位ｗ５、ｗ５とで、前記外側支持壁部１の内周に固設してあることになる。
【００２４】
前記鈴座１１は、特に図９及び図１０に示すように、平面視で、四辺形部の前部に台形の突出部を接続した態様の変形六角形である最上部の座部１１ａと、該座部１１ａと平面視で同形状かつ小寸法の胴部１１ｂと、該胴部１１ｂの下端に構成した、平面視で前記座部１１ａとほぼ同径状の基底部１１ｃとで構成したものである。前記座部１１ａは、後辺を除く周縁部を大寸法の下段と小寸法の上段との二段になるように構成し、上段の内側の部分にはシート状フェルト１１ｄを貼付したものである。また前記基底部１１ｃは、後辺を除く周縁部を二段に構成し、大寸法の下段は直線的に立ち上げ、小寸法の上段は下段の上端から斜めに立ち上げる構成としたものである。更にまた前記座部１１ａと前記基底部１１ｃとは、いずれも、基本的に、板状の部材を加工して構成したものであり、前記胴部１１ｂは中空部材である。この鈴座１１は、以上の中空部材である胴部１１ｂの上端に、前記座部１１ａを、下端に、基底部１１ｃを、それぞれ接着剤で固定して構成したものである。
【００２５】
なお、前記鈴座１１は、この実施例では、以上のように構成したが、これに限定されない。デザイン上の違和感のない種々の構成の鈴座を自由に採用することができる。例えば、前記鈴座１１の胴部１１ｂに引き出しを構成し、これに叩打具であるゴルフボール１２を収納しておくように構成することもできる。
【００２６】
前記叩打具であるゴルフボール１２は、この実施例では、ゴルフ競技に用いるゴルフボールをそのまま用いた。
【００２７】
この実施例の鈴具は、以上のように構成したので、基本的には、一般の鈴具と同様に、鈴座１１に鈴具本体１０を載置した状態で仏壇の前等の所定の位置に配置して使用することができる。
【００２８】
この鈴具の鈴具本体１０で音を発する場合は、例えば、図３及び図４に示すように、該鈴具本体１０の上方から叩打具であるゴルフボール１２を該鈴具本体１０の音響板部２上に落とすことで、これを打ち鳴らすことができる。このようにしてゴルフボール１２を落下させると、該音響板部２でゴルフ場のグリーンでホールインした場合に近似する落下音を響かせることになり、特に故人及びその家族がゴルフ競技に深い関心を抱いている場合にある種の感動を与えることができる。
【００２９】
この実施例の鈴具本体１０は、前記のように、いずれも金属（ＳＰＣＣ）製の外側支持壁部１とその内部の下部側に固定された音響板部２とで構成したものであり、前記のように、その上方から落としたゴルフボール１２は、前記のように、該音響板部２上に落下する。該音響板部２は、前記上板部２ａと前記直立板部２ｂと前記下板部２ｃとで縦断面コ字形に構成した部材であり、該下板部２ｃは、その外周のうち、外端部を除く全部位が前記外側支持壁部１の内周に溶接固定してあり、該直立板部２ｂは両側上下端が該外側支持壁部１の対応する部位に溶接固定してあり、また該上板部２ａは、その後部の円形状の部位の前記二箇所のみが該外側支持壁部１の対応する部位に点溶接により固定されている。
【００３０】
そのため、前記したように、上方から落下させたゴルフボール１２は、該音響板部２においては、上板部２ａ上に落下し、該上板部２ａは、前記のように、その後部側の二箇所のみが該外側支持壁部１の内周の対応する部位に点溶接してあるだけなので、前記ボールの落下により、良好に振動することになる。該上板部２ａ、該直立板部２ｂ、該下板部２ｃ及び該外側支持壁部１で囲まれた空間が共鳴器として作用し、該上板部２ａの振動による音を増幅することになる。こうしてゴルフ場のグリーンでホールインした場合に近似する落下音を大きく響かせ、前記のように、特に故人及びその家族がゴルフ競技に深い関心を抱いている場合に、ある種の深い感動を与えることができることになる。
【００３１】
図１１(a)、(b)は、叩打具であるゴルフボール１２を支持部材で支持した他の例を示すものである。これは、同図に示すように、該ゴルフボール１２と、これを抱える環状部材１２ａと、その後端から延長した支持棒１２ｂとで構成したものである。
【００３２】
これを用いて、この実施例の鈴具本体１０で音を発する場合は、一般の鈴棒を使用するのと同様に、その音響板部２の上板部２ａをゴルフボール１２で叩けば良い。これは、言うまでもなく、前記支持棒１２ｂを掴んで、その先端の環状部材１２ａで支持されたゴルフボール１２を前記音響板部１２の上板部２ａ上に軽く振り下ろせば良い。これによって、上板部１２ａは振動し、前記したように、ゴルフ場のグリーンでホールインした場合に生じる落下音に近似する音を大きく響かせることになるものである。この例のゴルフボール１２は、支持部材で支持されており、無用に転がり移動しない利点がある。
【産業上の利用可能性】
【００３３】
本考案の鈴具は、葬祭用具の製造業の分野で利用することができる。
【符号の説明】
【００３４】
１    外側支持壁部
１ａ  半円筒状部
１ｂ  直線板部
２    音響板部
２ａ  上板部
２ｂ  直立板部
２ｃ  下板部
１０  鈴具本体
１１  鈴座
１１ａ  座部
１１ｂ  胴部
１１ｃ  基底部
１１ｄ  シート状フェルト
１２  ゴルフボール
１２ａ  環状部材
１２ｂ  支持棒
ｗ１  直立板部の下端と下板部の前端との溶接部位
ｗ２、ｗ３  直立板部の両側上下端部と外側支持壁部の内側との溶接部位
ｗ４  下板部の前端部を除く外側支持壁部の内周との溶接部位
ｗ５  上板部の後部の半円状の部位と外側支持壁部の内周との溶接部位
【図１】
0003188481.tif 000003
【図２】
0003188481.tif 000004
【図３】
0003188481.tif 000005
【図４】
0003188481.tif 000006
【図５】
0003188481.tif 000007
【図６】
0003188481.tif 000008
【図７】
0003188481.tif 000009
【図８】
0003188481.tif 000010
【図９】
0003188481.tif 000011
【図１０】
0003188481.tif 000012
【図１１】
0003188481.tif 000013